(57)【特許請求の範囲】
【請求項１】
躯体に取付けられて上下に隣接するパネル支持部材間に開口部を設け、
該開口部の下方に位置するパネル支持部材に複数個のパネル取付け孔を設け、該各複数個のパネル取付け孔に、それぞれ、該取付け孔より小さい断面形状を有しかつガラスパネルの下部に固定される取付け金具のロッドを挿着してガラスパネルの下部を支持させ、
前記開口部の上方に位置するパネル支持部材に、横方向に摺動自在に摺動体を設け、
該摺動体に振り子状に揺動自在に複数本のパネル支持アームを取付け、
該各パネル支持アームに、前記ガラスパネルの上部に取付けた取付け金具のロッドを回動自在に結合した
ことを特徴とする免震カーテンウォール。
【請求項２】
請求項１において、
前記ガラスパネルの下部に固定される取付け金具のロッドを挿着する前記パネル取付け孔を上下に長い長孔とし、
前記パネル支持アームを、摺動体に対して相対的に上下動自在に支持させた
ことを特徴とする免震カーテンウォール。
【発明の詳細な説明】
【０００１】
【産業上の利用分野】
本発明は、免震カーテンウォールに係り、より詳しくは、建物の外壁の開口部にガラスパネルを取付ける場合の免震構造に関する。
【０００２】
【従来の技術】
建物の開口部にガラスパネルを取付けてカーテンウォールを構成する場合、従来は一般に方立を階層間に設け、これら方立と無目に振動吸収手段を介してガラスパネルを装着することが行われている。
【０００３】
【発明が解決しようとする課題】
上述した従来のガラスパネルの取付け構造においては、ガラスパネルのための方立が必須であって、建物の内部から外部を見た場合、方立が開口部における視界を遮り、視界を狭くする。このような不具合を無くするためには、方立を無くしたガラスパネルの支持構造とすることが好ましい。
【０００４】
本発明は、上記の方立の無い構造を実現して視界を広げると共に、大地震の際における上下階層間の大きな相対振動を吸収しえてガラスパネルの破断を防止しうる構造の免震カーテンウォールを提供することを目的とする。
【０００５】
【課題を解決するための手段】
この目的を達成するために、本発明による免震カーテンウォールは、
躯体に取付けられかつ上下に隣接するパネル支持部材間に開口部を設け、
該開口部の下方に位置するパネル支持部材に複数個のパネル取付け孔を設け、該各パネル取付け孔に、それぞれ、該取付け孔より小さい断面形状を有しかつガラスパネルの下部に固定される取付け金具のロッドを挿着してガラスパネルの下部を支持させ、
前記開口部の上方に位置するパネル支持部材に、横方向に摺動自在に摺動体を設け、
該摺動体に振り子状に揺動自在に複数本のパネル支持アームを取付け、
該各パネル支持アームに、前記ガラスパネルの上部に取付けた取付け金具のロッドを回動自在に結合した
ことを特徴とする。
【０００６】
【作用】
本発明においては、ガラスパネルの下部、上部が、それぞれ開口部の下方、上方のパネル支持部材に、取付け金具のロッドを介して支持されるから、方立は不要となる。また、上下に隣接する階層間に地震により相対的に横ずれを生じた場合、ガラスパネルの上部を支持する摺動体がパネル支持部材に対して摺動すると共に、パネル支持アームが揺動するから、振動吸収範囲が広くなり、カーテンウォールに無理な力がかかることが防止できる。
【０００７】
【実施例】
図１は本発明によるカーテンウォールの一実施例を示す斜視図、図２は該カーテンウォールを室外側から見た図、図３は図２の縦断面図、図４は図２のＥ−Ｅ拡大断面図、図５は図２のＦ−Ｆ拡大断面図、図６は図２のＧ−Ｇ拡大断面図である。
【０００８】
図２、図３により本実施例のカーテンウォールの全体構造について説明すると、図３において、３１は鉄骨製の梁３２に載せて支持された床組３１ａと床板３１ｂとからなる床、３３は該梁３２の下部に取付けられた天井である。３４は床組３１ａに取付けられた下地材３５を介して取付けられた膳板、３６は天井３３に設けられたカーテンボックスであり、膳板と天井３３の室外側構成部材との間に開口部１が構成される。
【０００９】
開口部１の下部と上部には、それぞれパネル支持部材２ａ、２ｂが取付けられる。これらのパネル支持部材２ａ、２ｂは、いずれも、前記梁３２の下部に固定した取付けビーム３７に、図４に示すように、ブラケット３８、３９およびボルト４０、４１およびナット４２、４３により固定し、図３に示すように、中間部を床組３１ａにブラケット４４を介して固定することにより取付けられる。
【００１０】
各パネル支持部材２ａ、２ｂは、図４〜図６に示すように、鉄板２８の周囲を折り曲げて製作され、裏面に石綿２９を吹き付けて耐火構造としたものである。パネル支持部材２ａ、２ｂとしては、耐火性とガラスパネル支持強度を持つものであれば他の材料を用いてもよい。
【００１１】
図２、図３に示すように、各パネル支持部材２ａ、２ｂには、それぞれガラスパネル３ａ、３ｂが、各ガラスパネル３ａ、３ｂの上下に複数本の取付け金具４６を介して固定して取付けられる。該取付け金具４６は、図４に示すように、パネル支持部材２ａ、２ｂの鉄板２８とこれに溶接した裏板４７を貫通し、かつガラスパネル３ａ、３ｂの孔４８に挿通するねじロッド４９と、該ロッド４９の基端側のねじ部に螺合されて該ロッド４９をパネル支持部材２ａ、２ｂに固定したナット５０、５１と、ガラスパネル３ａ、３ｂの室内側において前記ロッド４９に外嵌され、かつ接着等により一体化された板状ゴム５２、樹脂板５３および止め金具５４と、該止め金具５４をロッド４９に固定するビス５５と、ガラスパネル３ａ、３ｂの室外側においてロッド４９に外嵌され接着あるいは溶着されたゴム５６及びワッシャ５７と、締め付け用袋ナット５８と、該袋ナット５８をロッド４９に対して回り止めして固定する抜け止め用ビス５９とからなる。
【００１２】
これらのガラスパネル３ａ、３ｂは、予めパネル支持部材２ａ、２ｂにロッド４９をナット５０、５１により固定し、かつ一体のゴム５２、樹脂板５３および止め金具５４をロッド４９に嵌めておき、ガラスパネル３ａ、３ｂを吊ってロッド４９より大きい径に形成されたガラスパネル３ａ、３ｂの孔４８を該ロッド４９に嵌め、ガラスパネル３ａ、３ｂの位置を調整して室外側ゴム５２を孔４８の周辺部に当ててビス５５により止め金具５４を固定すると共に、室外側ゴム５６を孔４８の周辺部に当てて袋ナット５８をワッシャ５７を介して締め付け、ビス５９で袋ナット５８を固定してガラスパネル３ａ、３ｂを取付ける。
【００１３】
３ｃは開口部１を塞ぐように上下のガラスパネル３ａ、３ｂ間に横並びに取付けられるガラスパネルである。なお、３ｄは必要に応じて開口部１にガラスパネル３ｃに並べて設けられる非常時開放用のガラスパネルである。
【００１４】
図５に示すように、ガラスパネル３ｃの下部を支持するため、前記開口部１の下方に位置するパネル支持部材２ａの上部に、複数個のパネル取付け孔６０を設け、該各パネル取付け孔６０に、前記取付け金具４６と同様の構造の取付け金具６１のロッド４９が挿着される。本例においては、ガラスパネル３ｃの下部コーナーの近傍に取付け金具６１を取付けた例を示す。該ロッド４９は、前記パネル取付け孔６０より小さい断面形状を有するものであり、本例の該パネル取付け孔６０は上下に長い長孔として構成し、かつパネル取付け孔６０の左右の幅をロッド４９よりやや大に構成しているが、単に円孔としてもよい。パネル支持部材２ｂのパネル取付け孔６０の部分は、補強板６１により補強されている。
【００１５】
図１、図５に示すように、前記開口部１の上方に位置するパネル支持部材２ｂの下部には摺動体装着部５を設け、該摺動体装着部５には横方向に摺動自在に、鋼材でなる摺動体４を設ける。該摺動体装着部５は、パネル支持部材２の鉄板２８の下部をコ字形に折り曲げ、その下部折り曲げ部の内面にＵ字形の下部部材５ａをねじ等の固定具６４により固定し、その内部に摺動体４の摺動を円滑にするための硬質樹脂製の辷り材５ｂを固定し、摺動体４の下部を、辷り材５ｂに載せて該下部部材５ａに嵌め、該摺動体４の上部はＺ字形の折り曲げて室内側に垂直部４ａを形成し、摺動体装着部５の上部には、ねじ等の固定具６５により外れ止め用のＬ字形の板材５ｃを固定し、該板材５ｃを前記垂直部４ａに当接させて外れ止めする。
【００１６】
図６に示すように、摺動体装着部５の左右両端部には、摺動体４の両端に対面するように緩衝材７３を設け、該緩衝材７３と摺動体４との間に間隙ΔＬを形成し、この間隙ΔＬの範囲で摺動体４は左右に移動自在である。
【００１７】
図１、図５に示すように、該摺動体４には、振り子状に揺動自在に、複数本（本例においては、ガラスパネル３ｃの上部コーナー部近傍の２本）のパネル支持アーム６を取付ける。各パネル支持アーム６には、上下に長い長孔でなる取付け孔６ａを有し、該取付け孔６ａには、回転円滑のための円筒状のスリーブ６６を外嵌したねじ等でなる枢着軸６７を上下動自在に挿着し、先端を前記摺動体４を補強板４ｂに貫通してナット６８を螺合し、該ナット６８を枢着軸６７に溶接することにより取付けている。
【００１８】
該各パネル支持アーム６の下部には、前記取付け金具４６、６１とガラスパネル３ａ〜３ｃとの結合構造を同じにした取付け金具７０のロッド７１の基端を、回動自在に結合する。
【００１９】
このように、ガラスパネル３ａ〜３ｃを取付けたカーテンウォールにおいては、図７に示すように、地震の際に、ある層の上方に隣接する層が矢印Ｘ方向に相対移動した場合、パネル支持アーム６が矢印ｒで示すように揺動すると共に、摺動体４が上方のガラスパネル３ｂに対して相対的に反矢印Ｘ方向に摺動するので、ガラスパネル３ｂ、３ｃ間の許容相対移動範囲が広がり、大地震の際にも、開口部１に設けられたガラスパネル３ｃには無理な力がかからず、ガラスパネル３ｃの破損が防止される。
【００２０】
また、本実施例においては、ガラスパネル３ｃの上部を支持するパネル支持アーム６の取付け孔６ａを長孔とし、かつ、ガラスパネル３ｃの下部を支持する取付け金具６１のロッド４９を挿着する取付け孔６０を長孔としているので、前記上下層間の相対移動の際に、上下の取付け金具７０、６１のロッド７１、４９が取付け孔６ａ、６０に沿って上下動可能であり、ガラスパネル３ｃが図７に示すように傾動する。このため、このようにガラスパネル３ｃが傾動しない振動吸収機構とした場合に比較し、開口部１のガラスパネル３ｃと上層のガラスパネル３ｂとの間の相対的な横移動量が小さくなり、ガラスパネル３ｂ、３ｃ間のシール材７２の破断を防止できる。なおこのようなガラスパネル３ｃの傾動は、摺動体４側に長孔を設けることによっても実現できる。また、図５にΔＨで示す上下範囲について、摺動体４の傾斜が可能であり、この範囲でのガラスパネル３ｃの傾動が可能である。
【００２１】
その他、本発明において、開口部１、パネル支持部材２ａ、２ｂ、ガラスパネル３ａ〜３ｃ、摺動体４、摺動体装着部５、パネル支持アーム６等について、上記実施例以外に種々の変更、付加が可能である。
【００２２】
【発明の効果】
請求項１によれば、開口部にガラスパネルを支持するための方立を設ける必要がないため、広い視界が得られる。また、ガラスパネルの上部を、摺動体と、該摺動体に揺動自在に取付けるパネル支持アームとを介して支持したので、この２段階の振動吸収機構により、かなり大きな相対的な横移動が起きても、広い範囲で振動を吸収でき、大地震におけるガラスパネルの破損を防止できる。
【００２３】
請求項２によれば、開口部に設けるガラスパネルが、上下階層間の相対移動において傾動可能となるので、ガラスパネル間のシール材の変形量を少なくすることができ、シール材の破損も防止できる。
【図面の簡単な説明】
【図１】本発明によるカーテンウォールの一実施例を示す斜視図である。
【図２】本実施例のカーテンウォールを室外側から見た図である。
【図３】図２の縦断面図である。
【図４】図２のＥ−Ｅ拡大断面図である。
【図５】図２のＦ−Ｆ拡大断面図である。
【図６】図２のＧ−Ｇ拡大断面図である。
【図７】本実施例の動作説明図である。
【符号の説明】
１：開口部、２ａ、２ｂ：パネル支持部材、３ａ〜３ｃ：ガラスパネル、４：摺動体、５：摺動体装着部、６：パネル支持アーム、６ａ：取付け孔、６０：パネル取付け孔、６７：枢着軸
【図１】
0003556020.tif 000002
【図２】
0003556020.tif 000003
【図３】
0003556020.tif 000004
【図４】
0003556020.tif 000005
【図５】
0003556020.tif 000006
【図６】
0003556020.tif 000007
【図７】
0003556020.tif 000008